【手続補正書】
【提出日】平成25年7月25日(2013.7.25)
【手続補正１】
【補正対象書類名】明細書
【補正対象項目名】発明の名称
【補正方法】変更
【補正の内容】
【発明の名称】表示制御装置及びその制御方法、並びにプログラム及び記憶媒体
【手続補正２】
【補正対象書類名】明細書
【補正対象項目名】０００１
【補正方法】変更
【補正の内容】
【０００１】
本発明は、表示部に複数枚の画像の一覧を表示させる表示制御装置及びその制御方法、並びにプログラム及び記憶媒体に関し、特にスクロール中の画像の表示制御の技術に関する。
【手続補正３】
【補正対象書類名】明細書
【補正対象項目名】００１１
【補正方法】変更
【補正の内容】
【００１１】
そこで、本発明は、スクロール動作時に表示部に一覧表示される大量の画像から所望の画像を素早く検索することができる表示制御装置及びその制御方法、並びにプログラム及び記憶媒体を提供することを目的とする。
【手続補正４】
【補正対象書類名】明細書
【補正対象項目名】００１２
【補正方法】変更
【補正の内容】
【００１２】
上記目的を達成するために、本発明の表示制御装置は、表示部に複数枚の画像の一覧を表示させる表示制御装置であって、複数の画像を所定の順序で表示部に表示するように制御する表示制御手段と、前記表示部に表示された画像をスクロールするように制御するスクロール制御手段と、前記スクロール制御手段によるスクロールの速度が低速から高速に変化する場合に、前記表示制御手段が１画面に表示する画像の枚数を削減し、表示する画像の表示サイズを大きくするように制御する制御手段とを有することを特徴とする。
【手続補正５】
【補正対象書類名】明細書
【補正対象項目名】００１７
【補正方法】変更
【補正の内容】
【００１７】
シャッターボタン６１は撮影指示を行うための操作部である。モードダイアル６０は各種モードを切り替えるための操作部である。コネクタ１３０は後述する通信Ｉ/Ｆ１０７と接続ケーブル１３１とを接続するコネクタである。十字キー７０はユーザからの各種操作を受け付ける方向ボタンであり、上方向、下方向、左方向、右方向の４方向への操作が可能である。ここでは単一の操作部材として説明しているが、４つの方向が指示できるものであれば、十字に配置された４つの独立したボタンでも良い。
【手続補正６】
【補正対象書類名】明細書
【補正対象項目名】００２１
【補正方法】変更
【補正の内容】
【００２１】
外部記録媒体１０８はメモリカードやハードディスク等の記録媒体である。記録媒体スロット２０１は外部記録媒体１０８を格納するためのスロットである。記録媒体スロット２０１に格納された外部記録媒体１０８は、記録媒体Ｉ/Ｆ１０６を介してデジタルカメラ１００との通信が可能となる。蓋２０２は記録媒体スロット２０１の蓋である。
【手続補正７】
【補正対象書類名】明細書
【補正対象項目名】００２３
【補正方法】変更
【補正の内容】
【００２３】
図１において、内部バス１１１に対してＣＰＵ１０１、不揮発性メモリ１０２、メモリ１０３、表示制御部１０４、入力部１０５、記録媒体Ｉ/Ｆ１０６、Ｉ／Ｆ１０７、撮像部１１５および画像処理部１１６が接続される。内部バス１１１に接続される各部は、内部バス１１１を介して互いにデータのやりとりを行うことができるようにされている。
【手続補正８】
【補正対象書類名】明細書
【補正対象項目名】００２９
【補正方法】変更
【補正の内容】
【００２９】
記録媒体Ｉ／Ｆ１０６は、メモリカードなどの外部記録媒体１０８が装着可能とされ、ＣＰＵ１０１の制御に基づき、装着された外部記録媒体１０８からのデータの読み出しや、当該外部記録媒体１０８に対するデータの書き込みを行う。通信インターフェイス（Ｉ／Ｆ）１０７は、ＣＰＵ１０１の制御に基づき、通信ケーブル１３１で接続された外部機器や、ＬＡＮやインターネットといったネットワーク１２０に対する通信を行う。
【手続補正９】
【補正対象書類名】明細書
【補正対象項目名】００５７
【補正方法】変更
【補正の内容】
【００５７】
次に、図５を参照して、本実施形態のデジタルカメラの動作例について説明する。図５での各処理は、不揮発性メモリ１０２に記録されたプログラムを、ＣＰＵ１０１がメモリ１０３に展開して実行することで実現する。ステップＳ５０１では、ＣＰＵ１０１は、外部記録媒体１０８から、静止画又は動画の画像ファイルの属性情報をメモリ１０３に読み込み、ステップＳ５０２に進む。属性情報は例えば画像のＥｘｉｆ情報タグ情報などの画像ファイル内に記録された属性情報や、画像ファイルに関連付けられた別ファイルの属性情報などがある。属性情報には、「撮影日時」、「画像データに人物の顔が含まれているか否かのフラグ」、「撮影時の画質」、「ズーム倍率」、「画像データに人物の顔が幾つ含まれているかを示すカウント値」、「サムネイル（縮小画像）」などがある。また、属性情報には、「画像データに登録されている人物を特定するＩＤ値」、「インデックス画面を優先的に表示することを示すマーカ（ユーザが設定）」、「撮影時のレンズの絞りを表すＦ値」などがある。
【手続補正１０】
【補正対象書類名】明細書
【補正対象項目名】００５８
【補正方法】変更
【補正の内容】
【００５８】
ステップＳ５０２では、ＣＰＵ１０１は、外部記録媒体１０８から読み込んだ属性情報に基づいて、図８に示す優先順位フラグの付加条件に従って各画像の優先順位フラグを決定する。
【手続補正１１】
【補正対象書類名】明細書
【補正対象項目名】００７２
【補正方法】変更
【補正の内容】
【００７２】
ステップＳ１００８では、ＣＰＵ１０１は、ステップＳ５０３でメモリ１０３に保持された優先順位テーブルを参照して、優先順位の高いものからインデックス画面２０２に表示するための６×６枚の３６枚の画像を設定し、ステップＳ１０１３に進む。なお、インデックス画面２０２に３６枚の画像が表示された状態で十字キー７０の操作によりスクロールされることを制御部１０７を介して検出した場合は、速度範囲Ｓ１のときに表示される画像群から画像を選択する。例えば、３６枚の画像が表示された状態で１行分スクロールされることを検出した場合は、速度範囲Ｓ１の際に１行分スクロールされたときに表示される画像９〜画像７２（図２（ｂ）参照）から優先順位テーブルの優先順位に従って３６枚を選別する。
【手続補正１２】
【補正対象書類名】特許請求の範囲
【補正対象項目名】全文
【補正方法】変更
【補正の内容】
【特許請求の範囲】
【請求項１】
表示部に複数枚の画像の一覧を表示させる表示制御装置であって、
複数の画像を所定の順序で表示部に表示するように制御する表示制御手段と、
前記表示部に表示された画像をスクロールするように制御するスクロール制御手段と、
前記スクロール制御手段によるスクロールの速度が低速から高速に変化する場合に、前記表示制御手段が１画面に表示する画像の枚数を削減し、表示する画像の表示サイズを大きくするように制御する制御手段と
を有することを特徴とする表示制御装置。
【請求項２】
前記制御手段は、前記スクロール制御手段によるスクロールの速度が低速である場合よりも高速である場合の方が、前記表示制御手段が表示対象とする画像を少なくするように制御することを特徴とする請求項１記載の表示制御装置。
【請求項３】
画像の属性情報を取得する取得手段を更に有し、
前記制御手段は、前記取得手段で取得される属性情報に基づいて前記表示対象とする画像を抽出することを特徴とする請求項１又は２記載の表示制御装置。
【請求項４】
前記属性情報には、表示対象としての優先順位を高くするためにユーザの操作に応じて画像に付与された情報を含むことを特徴とする請求項３記載の表示制御装置。
【請求項５】
前記属性情報には、画像から検出された顔の情報を含むことを特徴とする請求項３記載の表示制御装置。
【請求項６】
前記属性情報には、画像の撮影日の情報を含むことを特徴とする請求項３記載の表示制御装置。
【請求項７】
前記表示制御手段は、前記スクロール制御手段によるスクロールの速度が低速である場合よりも高速である場合に、表示する画像の奥行き方向に多くの重なりを表現した表示形態での表示を行うことを特徴とする請求項１乃至６のいずれか１項に記載の表示制御装置。
【請求項８】
前記表示制御手段は、前記スクロール制御手段によるスクロールの速度が低速から高速に変化すると、撮影日付の情報を前記表示部に表示するように制御することを特徴とする請求項１乃至７のいずれか１項に記載の表示制御装置。
【請求項９】
画像のスクロールを指示する操作をユーザから受付ける受付手段を更に有し、
前記スクロール制御手段は、前記受付手段で受付けた操作に応じたスクロールの速度でスクロールを行うように制御し、
前記制御手段は、前記受付け手段で受付けた操作が、前記スクロール制御手段によるスクロールの速度を低速から高速に変化させる操作であったことに応じて、前記表示制御手段が１画面に表示する画像の枚数を削減し、表示する画像の表示サイズを大きくするように制御することを特徴とする請求項１乃至８のいずれか１項に記載の表示制御装置。
【請求項１０】
前記スクロール制御手段によるスクロールの速度を低速から高速に変化させる操作は、前記受付手段としての操作部材の押下時間が閾値以上となる操作であることを特徴とする請求項９記載の表示制御装置。
【請求項１１】
前記スクロール制御手段によるスクロールの速度を低速から高速に変化させる操作は、前記受付手段としての操作部材に対する回転操作の速度が閾値以上となる操作であることを特徴とする請求項９記載の表示制御装置。
【請求項１２】
前記スクロール制御手段によるスクロールの速度を低速から高速に変化させる操作は、前記受付手段としてのタッチ操作部材に対するタッチ位置の移動速度が閾値以上となる操作であることを特徴とする請求項９記載の表示制御装置。
【請求項１３】
前記スクロール制御手段によるスクロールが停止した場合に、前記制御手段は、前記表示制御手段が表示する画像の表示サイズを段階的に縮小し、１画面に表示する画像の枚数を増加させることを特徴とする請求項１乃至１２のいずれか１項に記載の表示制御装置。
【請求項１４】
前記スクロール制御手段によるスクロールが停止した場合に、前記表示部に表示された画像が１枚表示状態であるか否かを判定する判定手段をさらに有し、
前記制御手段は、前記判定手段により前記１枚表示状態と判定された場合に、前記表示部に表示された動画像を再生するように制御することを特徴とする請求項１乃至１３のいずれか１項に記載の表示制御装置。
【請求項１５】
表示部に複数枚の画像の一覧を表示させる表示制御装置の制御方法であって、
複数の画像を所定の順序で表示部に表示するように制御する表示制御ステップと、
前記表示部に表示された画像をスクロールするように制御するスクロール制御ステップと、
前記スクロール制御ステップによるスクロールの速度が低速から高速に変化する場合に、前記表示制御ステップが１画面に表示する画像の枚数を削減し、表示する画像の表示サイズを大きくするように制御する制御ステップと
を有することを特徴とする表示制御装置の制御方法。
【請求項１６】
表示部に複数枚の画像の一覧を表示させる表示制御装置の制御方法をコンピュータに実行させるプログラムであって、
前記表示制御装置の制御方法は、
複数の画像を所定の順序で表示部に表示するように制御する表示制御ステップと、
前記表示部に表示された画像をスクロールするように制御するスクロール制御ステップと、
前記スクロール制御ステップによるスクロールの速度が低速から高速に変化する場合に、前記表示制御ステップが１画面に表示する画像の枚数を削減し、表示する画像の表示サイズを大きくするように制御する制御ステップと
を有することを特徴とするプログラム。
【請求項１７】
請求項１６記載のプログラムを格納することを特徴とするコンピュータ読み取り可能な記憶媒体。
【手続補正１３】
【補正対象書類名】図面
【補正対象項目名】図１
【補正方法】変更
【補正の内容】
【図１】
2012037974.tif 000001